(57)【要約】      （修正有）【課題】低背化を図った縦型ジャックを提供すること。【解決手段】  上方に開口する挿入孔を有するハウジング（２）と、ハウジング（２）に固定された少なくとも一つのコンタクトからなり、パターンが設けられた印刷配線基板に固定され、先端にピン状の電極有するプラグを挿入孔に挿入して、プラグと嵌合するジャック（１）であって、コンタクトは、挿入孔内に突出する接触部と、ハウジング（２）外部に露出する接続部とが設けられ、接続部は、パターンと接続されており、プラグ嵌合時に、接触部は、電極と接続するジャック（１）において、挿入孔は、ハウジング（２）を下方に貫通し、印刷配線基板には、開口した孔が挿入孔下方に設けられ、プラグ嵌合時に、電極の先端が孔に入る。【選択図】図２
2007087835.tif 000002
【特許請求の範囲】
【請求項１】
上方に開口する挿入孔（２０）を有するハウジング（２）と、ハウジング（２）に固定された少なくとも一つのコンタクト（３、４、５、６）からなり、
パターン（７ａ３、７ａ４、７ａ５、７ａ６）が設けられた印刷配線基板（７）に固定され、
先端にピン状の電極（８３、８４、８５、８６）を有するプラグ（８）を挿入孔（２０）に挿入し、嵌合するジャック（１）であって、
コンタクト（３、４、５、６）には、挿入孔（２０）内に突出する接触部（３ａ、４ａ、５ａ、６ａ）と、ハウジング（２）外部に露出する接続部（３ｄ、４ｄ、５ｄ、６ｄ）とが設けられ、
接続部（３ｄ、４ｄ、５ｄ、６ｄ）は、パターン（７ａ３、７ａ４、７ａ５、７ａ６）と接続されており、
プラグ（８）嵌合時に、接触部（３ａ、４ａ、５ａ、６ａ）が、電極（８３、８４、８５、８６）と接続するジャック（１）において、
挿入孔（２０）は、ハウジング（２）を下方に貫通し、
印刷配線基板（７）には、開口した孔（７７）が挿入孔（２０）の下方に設けられ、
プラグ（８）嵌合時に、電極（８３、８４、８５、８６）の先端が孔（７７）に入ることを特徴とするジャック。
【発明の詳細な説明】
【技術分野】
【０００１】
本発明は、印刷配線基板に実装されて、プラグと嵌合することにより印刷配線基板とプラグを接続するジャックであって、印刷配線基板に対してプラグを垂直に差し込むタテ型ジャックの低背化に関するものである。 
【背景技術】
【０００２】
従来のタテ型ジャックとしては、例えば実用新案文献１の実開平５−１７９６５のようなものがあり、本文献を例に図６を用いて説明する。ジャック１０は、印刷配線基板（図示せず）に固定され、コンタクト３０の接続部３０ｄと印刷配線基板（図示せず）に設けられたパターン（図示せず）とが接続される。ジャック１０に設けられた挿入孔２０１にプラグ８０の先端の電極部８０１を挿入して嵌合すると、電極８０３に接触部３０ａが接触し、電極８０３と印刷配線基板（図示せず）のパターン（図示せず）が接続される。  
【特許文献１】実開平５−１７９６５
【発明の開示】
【発明が解決しようとする課題】
【０００３】
しかし、このようなプラグ８０は円筒状の電極が軸に沿って並んで配置されるので、多極化すると軸方向の長さが長くなるため、タテ型ジャックの場合は高さが必然的に高くなる。  
【０００４】
したがって本発明は、上述の問題を軽減するため、プラグ挿入方向のジャック高さ（以後ジャック高さとする）かつ実装時における印刷配線基板からのジャック高さ（以後実装高さとする）を低くすることができるジャックを提供することを目的とするものである。 
【課題を解決するための手段】
【０００５】
請求項１記載の発明は、上方に開口する挿入孔を有するハウジングと、ハウジングに固定された少なくとも一つのコンタクトからなり、パターンが設けられた印刷配線基板に固定され、先端にピン状の電極有するプラグを挿入孔に挿入して、プラグと嵌合するジャックであって、コンタクトは、挿入孔内に突出する接触部と、ハウジング外部に露出する接続部とが設けられ、接続部は、パターンと接続されており、プラグ嵌合時に、接触部は、電極と接続するジャックにおいて、挿入孔は、ハウジングを下方に貫通し、印刷配線基板には、開口した孔が挿入孔下方に設けられ、プラグ嵌合時に、電極の先端が孔に入ることを特徴とする。
【０００６】
挿入孔はハウジングを下方に貫通し、印刷配線基板の開口した孔が設けられることで、プラグ挿入方向に沿って孔につながった空間ができるので、プラグの先端を孔に進入させることができる。
【発明の効果】
【０００７】
請求項１記載の発明は、ジャック高さと実装高さを小さくすることができる。
【発明を実施するための最良の形態】
【０００８】
図１〜図５に基づいて以下に実施形態を説明する。図１は、本発明におけるジャック１であって、印刷配線基板７に実装され、プラグ８を嵌合していないジャック１の斜視図を表している。図２は、図１のＡ−Ａ断面図における未実装、プラグ８未嵌合状態のジャック１を表している。図３は、図１のＢ−Ｂ断面図における未実装、プラグ８未嵌合状態のジャック１を表している。図４は、図１のＡ−Ａ断面図における実装後のジャック１とプラグ８の嵌合状態を表している。図５は、図１のＢ−Ｂ断面図における実装後のジャック１とプラグ８の嵌合状態を表している。ジャック１は、印刷配線基板７に実装され、印刷配線基板７に対して垂直にプラグ８と嵌合するタテ型ジャックであって、ジャック１を介してプラグ８と印刷配線基板７を接続するものである。ジャック１は、ハウジング２と、ハウジング２に設けられた４つのコンタクト３、４、５、６から成る。  図１、２、３のとおり、ハウジング２は、絶縁性樹脂によって略立方形の上方に円筒形を組み合わせた形状に成形したものであって、ハウジング２の中心軸にそって中央を貫通する挿入孔２１と、４つのコンタクト挿入孔２３、２４、２５、２６が設けられている。
【０００９】
４つのコンタクト３、４、５、６は、導電性金属板のプレス加工によって作られ、対応する４つのコンタクト挿入孔２３、２４、２５、２６に下方から上方に向かって挿入されハウジング２に設けられている。図２の通り、第１コンタクト３は、固定部３ｃがあり、固定部３ｃの略中央を切り起こして外側に突出させた係止部３ｃａが設けられている。固定部３ｃ下端から延びた接続部３ｄと、固定部３ｃの上端を折り返して上方から下方にむかって内側に突出させた弾性変形部３ｂが形成され、弾性変形部３ｂの略先端には更に内側に突出させた接触部３ａが設けられている。  図３の通り、第２コンタクト４は、固定部４ｃがあり、固定部４ｃの両側を切り起こして外側に突出させた一対の係止部４ｃａ、４ｃａ（図示せず）が設けられている。固定部４ｃ下端から屈曲して延びた接続部４ｄと、固定部４ｃの上端から延びた板状体が形成され、板状体の中央を切り起こして上方から下方にむかって内側に突出させた弾性変形部４ｂが形成され、弾性変形部４ｂの略先端には更に内側に突出させた接触部４ａが設けられている。    図３の通り、第３コンタクト５は、固定部５ｃがあり、固定部５ｃの略中央を切り起こして外側に突出させた係止部５ｃａが設けられている。固定部５ｃ下端から屈曲して延びた接続部５ｄと、固定部５ｃの上端を下方から上方にむかって内側に突出させた弾性変形部５ｂが形成され、弾性変形部５ｂの略先端には内側に更に突出させた接触部５ａが設けられている。図２の通り、第４コンタクト６は、固定部６ｃがあり、固定部６ｃの略中央を切り起こして外側に突出させた係止部６ｃａが設けられている。固定部６ｃの下端から屈曲して延びた接続部５ｄと、固定部６ｃの上端を下方から上方に向かって内側に突出させた弾性変形部６ｂが形成され、弾性変形部６ｂの略先端には更に内側に突出させた第４接触部６ａが設けられている。
【００１０】
図２〜５に記載するとおり、第１コンタクト３の接触部３ａは、ハウジング２の下方側（印刷配線基板側、底面側）に設け、接触部３ａより上方に向かって順に、接触部４ａ、５ａ、６ａとなるように高さをずらして配置することで、プラグ８嵌合時に接触部４ａ、４ｂ、４ｃ、４ｄをプラグ８の各電極８３、８４、８５、８６に接触させている。弾性変形部３ｂ、４ｂは、上方から下方に向かって内部に突出するようにしたことにより、弾性変形に必要なスパンを確保しつつ、接触部３ａ、４ａを下方側に設けることができる。  弾性変形部５ｂ、６ｂは、下方から上方に向かって内部に突出するようにしたことにより、弾性変形に必要なスパンを確保しつつ、接触部５ａｄ、６ａを上方に設けることができる。  
【００１１】
係止部３ｃａ、４ｃａ（図示せず）、５ｃａ、６ｃａを、対応する係止孔２３ａ、２４ａ（図示せず）、２５ａ、２６ａに係止させることで、固定部３ｃ、４ｃ、５ｃ、６ｃがコンタクト挿入孔２３、２４、２５、２６内に保持され、第１コンタクト３、第２コンタクト４、第３コンタクト５、第４コンタクト６が各々ハウジング２に固定されている。  
【００１２】
図１、図４、図５に記載の通り、印刷配線基板７は、各接続部３ｄ、４ｄ、５ｄ、６ｄに対応した箇所に、パターン７ａ３、７ａ４、７ａ５、７ａ６が四方に配置されており、それぞれの中央に接続孔７ｂ３、７ｂ４、７ｂ５、７ｂ６が設けられている。パターン７ａ３、７ａ４、７ａ５、７ａ６に囲まれた中央には貫通した孔７７が設けられている。
【００１３】
接続部３ｄ、４ｄ、５ｄ、６ｄとパターン７ａ３、７ａ４、７ａ５、７ａ６がそれぞれ対応するように、接続部３ｄ、４ｄ、５ｃ、６ｄを接続孔７ｂ３、７ｂ４、７ｂ５、７ｂ６にそれぞれ挿入する。接続部３ｄ、４ｄ、５ｃ、６ｄとパターン７ａ３、７ａ４、７ａ５、７ａ６をそれぞれ半田付けによって固定、接続する。  
【００１４】
プラグ８は、先端に電極部８１が設けられている。電極部８１には、円筒状の４個の電極８３、８４、８５、８６が電極部８１の軸方向に並列して配置され、それぞれが絶縁される様に絶縁樹脂性の絶縁部８７、８７、８７が電極８３、８４、８５、８６の間に挟まれて配置されている。プラグ８の先端には、もっとも長い第１電極８３が設けられており、根元に向かって絶縁部８７、第２電極８４、絶縁部８７、第３電極８５、絶縁部８７、第４電極８６と並列に設けられている。
【００１５】
印刷配線基板７に接続されたジャック１の挿入孔２１に、電極部８１の先端を挿入して嵌合する。第１電極８３の先端は、挿入孔２１を通過してハウジング２の外部に飛び出し、孔７７に入る。ハウジング２の当接面２７と、プラグ８の当接部８８が当たるところで嵌合が完了し、第１電極８３の先端は、孔７７から外部に飛び出さない。  
【００１６】
第１コンタクト３の接触部３ａは、弾性変形部３ｂの弾性力によって第１電極８３に接続され、第２コンタクト４の接触部４ａは、弾性変形部４ｂの弾性力によって第２電極８４に接続され、第３コンタクト５の接触部５ａは、弾性変形部５ｂの弾性力によって第３電極８５に接続され、第４コンタクト６の接触部６ａは、弾性変形部６ｂの弾性力によって第２電極８６に接続される。したがって、第１電極８３、第２電極８４、第３電極８５、第４電極８６と、パターン７ａ３、７ａ４、７ａ５、７ａ６が、各々接続される。
【００１７】
嵌合時に、第１電極８３の先端側の一部をハウジングから突出させ、第1電極８３の根元側の一部をハウジング２内に留めておくことで、第１電極８３の根元側の一部と対向する位置であって、限りなくハウジング２の下方側（印刷配線基板７側、底面側）に接触部３ａが設けられ、接触部３ａより上方に向かって接触部４ａ、５ａ、６ａを並んで設けることができる。更に、第４電極８６の先端側の一部と対向する位置であって、挿入孔２１の上方に開口した箇所に近づけて第４接触部６ａを設けることができる。よって、全体的に接触部３ａ、４ａ、５ａ、６ａを、下方に設けることができるので、ジャック高さを電極部８１よりも小さくすることができ、実装高さも低くすることができる。
【００１８】
なお、実施例においてプラグ８は、４極だったが、それよりも少ないものや多いものでもよい。本発明の効果である電極部８１より短いジャック１の高さを実現し、実装高さを低くすることができる。コンタクト３、４、５、６の形状も本実施例に限定されることは無く、第１接触部３ａがハウジング２の下方側（印刷配線基板７側、底面側）に限りなく近く設けることを留意したものであれば良い。たとえば、導電性金属板を打ち抜き、印刷配線基板７に平行に配置することで、破断箇所に接触部を設けるようにしても良い。この場合、弾性変形をするばねスパンとなる箇所は、印刷配線基板７（底面）と平行に配置されるので、ジャック高さの削減を効果的に図ることができる。また、接続部３ｄ、４ｄ、５ｄ、６ｄの形状も本実施例に限られない。例えば、接続部３ｄ、４ｄ、５ｄ、６ｄを挿入方向と垂直に曲げ、印刷配線基板７に接するような形状など表面実装に対応させたものでも良く、印刷配線基板７のパターン７ａに接続可能な形状であれば良い。また、プラグ８の先端が孔７７の進入する程度は、本実施例に限定されることがない。例えば第１電極８３の先端が、孔７７にわずかに進入するだけでもよく、第１電極８３の先端が孔７７を突き抜けて下方に飛び出してもよい。印刷配線基板７上面から下方に第１電極８３の先端が進入した分、低背化を図ることができる。更に、孔７７は貫通させる必要は無く、本実施例に限定されることがない。孔７７は、開口してプラグ８の先端が進入できれば良い。
【図面の簡単な説明】
【００１９】
【図１】本発明における印刷配線基板７に実装され、プラグ８を嵌合していないジャック１の斜視図である。
【図２】本発明における未実装、プラグ８未嵌合状態のジャック１の図１、Ａ−Ａ断面図である。
【図３】本発明における未実装、プラグ８未嵌合状態のジャック１の図１、Ｂ−Ｂ断面図である。
【図４】本発明における実装後、プラグ８嵌合状態のジャック１の図１、Ａ−Ａ断面図である。
【図５】本発明における実装後、プラグ８嵌合状態のジャック１の図１、Ｂ−Ｂ断面図である。
【図６】公知例を示す断面図である。
【符号の説明】
【００２０】
１・・・ジャック２・・・ハウジング２１・・・挿入孔２３、２４、２５、２６・・・コンタクト挿入孔２３ａ、２４ａ（図示せず）、２５ａ、２６ａ・・・係止孔２７・・・当接面３・・・コンタクト３ａ・・・接触部３ｂ・・・弾性変形部３ｃ・・・固定部３ｃａ・・・係止部３ｄ・・・接続部４・・・第２コンタクト４ａ・・・接触部４ｂ・・・弾性変形部４ｃ・・・固定部４ｃａ・・・係止部（図示せず）４ｄ・・・接続部５・・・第３コンタクト５ａ・・・接触部５ｂ・・・弾性変形部５ｃ・・・固定部５ｃａ・・・係止部５ｄ・・・接続部６・・・第４コンタクト６ａ・・・接触部６ｂ・・・弾性変形部６ｃ・・・固定部６ｃａ・・・係止部６ｄ・・・接続部７・・・印刷配線基板７７・・・孔７ａ３、７ａ４、７ａ５、７ａ６・・・パターン７ｂ３、７ｂ４、７ｂ５、７ｂ６・・・接続孔８・・・プラグ８１・・・電極部８３・・・第１電極８４・・・第２電極８５・・・第３電極８６・・・第４電極８７・・・絶縁部８８・・・当接部１０・・・ジャック２０・・・ハウジング２０１・・・挿入口３０・・・コンタクト３０ａ・・・接触部３０ｂ・・・弾性変形部３０ｃ・・・固定部３０ｄ・・・接続部８０・・・プラグ８０１・・・電極部８０３・・・電極 
【図１】
2007087835.tif 000003
【図２】
2007087835.tif 000004
【図３】
2007087835.tif 000005
【図４】
2007087835.tif 000006
【図５】
2007087835.tif 000007
【図６】
2007087835.tif 000008